(57)【要約】【課題】  使用時と未使用時で姿勢変更が可能な日除け装置を設けた乗用型移植機において、使用時と未使用時の姿勢変更が容易で且つ、未使用時の姿勢が作業の邪魔にならない乗用型移植機を提供する。【解決手段】  走行機体の左右両側部で、且つフロアステップ面よりも下方に設けた回動支持装置の回動支軸を介して走行機体に日除け装置の支持フレームを連結し、作業姿勢から支持フレームを回動支軸中心に前方回動させることで日除け装置を走行機体のフロアステップ面よりも下方で、且つ機体外方に位置する収納姿勢に姿勢変更可能にした。【選択図】図１
2010094050.tif 000002
【特許請求の範囲】
【請求項１】
走行機体（２）の後部に植付作業機（３）を備え、該走行機体（２）に連結した支持フレームに日除け部材（３０）を有した日除け装置（２９）を設け、該日除け装置（２９）の姿勢を、前記日除け部材（３０）が運転座席（１６）の上方を覆う作業姿勢と、前記日除け部材（３０）を前記作業姿勢よりも下方に位置させた収納姿勢に変更自在とした乗用型移植機（１）において、フロアステップ面（１９）よりも下方に設けた左右の回動支持装置（３８，３８）の回動支軸（４４，４４，４５，４５）を介して走行機体（２）に日除け装置（２９）の支持フレーム（３６，３７）を連結し、前記作業姿勢から前記支持フレーム（３６，３７）を前記回動支軸（４４，４４，４５，４５）中心に前方回動させることで前記日除け装置（２９）を前記走行機体（２）の前記フロアステップ面（１９）よりも下方で、且つ機体外方に位置する収納姿勢に姿勢変更可能に構成したことを特徴とする乗用型移植機。
【請求項２】
前記支持フレーム（３６，３７）を前記回動支軸（４４，４４，４５，４５）に直交して延設された左右の側柱部と、該左右の側柱部の先端部を連結して日除け部材（３０）を支持する日除け部材支持部（３１，３２）からなるアーチ状の前側支持フレーム（３６）と後側支持フレーム（３７）とで構成し、前記作業姿勢では前記前側支持フレーム（３６）と前記後側支持フレーム（３７）の遊端側を離間させて前記日除け部材（３０）を展開させ、前記収納姿勢では前記前側支持フレーム（３６）と前記後側支持フレーム（３７）とが互いに側面視で前記フロアステップ面（１９）よりも下方に位置し、且つ平面視で前記走行機体（２）前側外周に沿って位置するように構成したことを特徴とする請求項１に記載の乗用型移植機。
【請求項３】
前記作業姿勢から、前記前側支持フレーム（３６）を前記回動支軸（４４，４４）中心に後方回動させて、前記後側支持フレーム（３７）に沿わせることで、前記日除け装置（２９）の姿勢を、運転座席（１６）側方空間が開放される折畳み姿勢に変更可能に構成したことを特徴とする請求項２に記載の乗用型移植機。
【発明の詳細な説明】
【技術分野】
【０００１】
本発明は、日除け装置を設けた乗用型移植機に関する。
【背景技術】
【０００２】
従来から走行機体の後方に植付作業機を備え、運転座席の上方を覆う作業姿勢と収納姿勢に姿勢変更自在な日除け装置を設けた乗用型移植機は知られている（特許文献１）。
【特許文献１】特開２００５−３３３８９３号公報（図３）
【発明の開示】
【発明が解決しようとする課題】
【０００３】
上述した特許文献１のものは、後部主柱を取外して、バイザ主柱の上端部に対して、日除け装置のバイザフレームを折畳む形態として、このバイザ主柱の下端部を支軸の周りに後側へ倒伏回動することにより、このバイザ主柱をサイドステップフロアの内側に沿わせると共に、折畳まれたバイザフレーム部が施肥ホッパーの後部上を覆うように位置させた収納姿勢であるため、後方の植付作業機に苗を補給する際に邪魔になる。
【０００４】
また、バイザフレームがサイドステップフロアより高い位置で乗降口を横断しているため作業者が機体に乗り降りをする際に邪魔になる。
【課題を解決するための手段】
【０００５】
本発明は、上記課題を解決することを目的としたものであって、走行機体の後部に植付作業機を備え、該走行機体に連結した支持フレームに日除け部材を有した日除け装置を設け、該日除け装置の姿勢を、前記日除け部材が運転座席の上方を覆う作業姿勢と、前記日除け部材を前記作業姿勢よりも下方に位置させた収納姿勢に変更自在とした乗用型移植機において、フロアステップ面よりも下方に設けた左右の回動支持装置の回動支軸を介して走行機体に日除け装置の支持フレームを連結し、前記作業姿勢から前記支持フレームを前記回動支軸中心に前方回動させることで前記日除け装置を前記走行機体の前記フロアステップ面よりも下方で、且つ機体外方に位置する収納姿勢に姿勢変更可能に構成したことを第一の特徴としている。
【０００６】
また、前記支持フレームを前記回動支軸に直交して延設された左右の側柱部と、該左右の側柱部の先端部を連結して日除け部材を支持する日除け部材支持部からなるアーチ状の前側支持フレームと後側支持フレームとで構成し、前記作業姿勢では前記前側支持フレームと前記後側支持フレームの遊端側を離間させて前記日除け部材を展開させ、前記収納姿勢では前記前側支持フレームと前記後側支持フレームとが互いに側面視で前記フロアステップ面よりも下方に位置し、且つ平面視で前記走行機体前側外周に沿って位置するように構成したことを第二の特徴としている。
【０００７】
そして、前記作業姿勢から、前記前側支持フレームを前記回動支軸中心に後方回動させて、前記後側支持フレームに沿わせるだけで、前記日除け装置の姿勢を、運転座席側方空間が開放される折畳み姿勢に変更可能に構成したことを第三の特徴としている。
【発明の効果】
【０００８】
請求項１に係る発明によれば、回動支持装置の回動支軸がフロアステップ面よりも下方にあることで、支持フレームを回動支持装置の回動支軸中心に前方回動させて収納する際、フロアステップ面よりも下方に前記支持フレームを収納することができ、収納姿勢時にはフロアステップ面よりも上方や植付作業機前方に日除け装置が位置しないため、走行機
体上の作業者の移動の妨げになりにくくなり作業者の機体上での苗補給等の作業が行いやすくなった。
【０００９】
請求項２に係る発明によれば、回動支持装置の回動支軸に直交して延設された前記前側支持フレームと前記後側支持フレームの上部を離間させることによって、日除け装置は日除け部材を展開させ、作業者を日差しから保護する作業姿勢になり、日除け装置を作業姿勢から収納姿勢に姿勢変更することによって、側面視でフロアステップ面よりも下方に且つ平面視で走行機体の前側外周に沿った、コンパクトな収納姿勢にすることができると共に、日除け装置が走行機体のフロアステップ面よりも下方で機体外周に沿うので足が引かかりにくいから走行機体への乗り降りや苗補充の妨げになりにくくなる。
【００１０】
請求項３に係る発明によれば、日除け装置が前記作業姿勢にあるとき、前側支持フレームを後側支持フレームに沿うように回動支持装置の回動支軸を中心に後方回動させることで運転座席の側方空間を開放する折畳み姿勢にすることができ、日除け装置の使用時において、前側支持フレームを後方回動するだけで、走行機体に乗り降りが容易に行える。
【発明を実施するための最良の形態】
【００１１】
次に、本発明の実施形態を図面に基づいて説明する。図１は、本発明の乗用型移植機１の全体側面図であり、図３は本発明の乗用型移植機１の全体平面図である。本乗用型移植機１は、走行部５である左右一対の前輪８及び後輪９を有する走行機体２を有し、該走行機体２左右前部のフロアステップ面１９下方にあるメインフレーム２８から外側方に延出し、上方に屈曲させ延伸した、予備苗載せ台支持フレーム６外方に多段の予備苗載せ台７が配置されている。
【００１２】
また、機体前部には、エンジン５が搭載され、エンジン５上方をボンネット４で覆うと共に、ボンネット４の後方には操作パネル１１、植付操作レバー１２、走行操作レバー１３、ステアリングハンドル１４、ブレーキペダル１５を備える運転操作部１０と、この運転操作部１０の床面であるフロアステップ面１９を形成するフロアステップカバー１８及び運転座席１６を支持する機体カバー２０が設けられている。尚、機体カバー２０には、運転座席１６後方の左右両側に、前記フロアステップカバー１８のフロアステップ面１９より一段高い平坦な予備苗供給用ステップ２１が形成されている。
【００１３】
そして、走行機体２の後部に昇降リンク２２機構を介して植付作業機３を昇降自在に備えている。該植付作業機３は、前高後低状に傾斜して設けた苗載せ台２３と、該苗載せ台２３から苗を掻取って植え付ける複数の植付部２５を備えた移植装置２４と、この移植装置２４の前方又は下方には、植付け田面を整地する整地ロータ２７やフロート２６等を設けているが、これらの基本的な構成は従来通りであり詳細な説明を省略する。
【００１４】
次に、本発明の日除け装置２９について説明する。図１及び図６に示すように、走行機体２の左右側部には、メインフレーム２８，２８に支持部３９，３９を介して回動支持装置３８，３８を連結し、該回動支持装置３８には、二つの回動支軸４４，４５が、前後方向に近接配置され、走行機体２の左右外方に回動支軸４４，４４，４５，４５が延設されている。該左右の回動支軸４４，４４，４５，４５には、前側支持フレーム３６と後側支持フレーム３７とが夫々回動自在に連結されている。該前側支持フレーム３６及び前記後側支持フレーム３７は前記回動支軸４４，４４，４５，４５に直交して延びる左右の側柱部を有し、日除けシート３０（日除け部材）を支持するコの字杆３１，３２で連結されたアーチ状に形成されており、夫々、左右の側柱部の基端部を前記回動支軸４４，４４，４５，４５に回動自在に支持することで日除け装置２９が後述する作業姿勢、折畳み姿勢、及び収納姿勢に姿勢変更可能に構成されている。
【００１５】
即ち、図１、図３、及び図６に示すように、前記回動支軸４４，４４，４５，４５を中心に前側支持フレーム３６上部をステアリングハンドル１４又は操作パネル１１前方上方まで回動させ、後側支持フレーム３７上部を走行機体２後部上方に回動して前記前側支持フレーム３６と前記後側支持フレーム３７の遊端側を前後に離間させることで、前記日除けシート３０を運転座席１６の上方で展開させると、運転座席１６に着座した作業者の頭上を覆う作業姿勢となり作業者を日差しから保護することができる。
【００１６】
また、日除け装置２９を使わないときや走行機体２の高速移動又は車庫入れをする際には、前記作業姿勢から前記回動支軸４４，４４，４５，４５を中心に前側支持フレーム３６と後側支持フレーム３７を同時に前方回動させて走行機体２の前部側面に沿って略水平に支持することで、図２及び図５示すように、側面視でフロアステップ面１９よりも下方に位置し、且つ平面視で走行機体２の前部外周に沿う収納姿勢となる。
【００１７】
そして、前記作業姿勢から前記回動支軸４４，４４を中心に前側支持フレーム３６上部をステアリングハンドル１４又は操作パネル１１前方上方から運転座席１６側部中央より後方上方に後方回動し図１及び図４の点線で示すように後側支持フレーム３７に沿わせると、運転座席１６左右側方を開放した折畳み姿勢となり作業者の走行機体２への乗り降りが容易になる。
【００１８】
また、前記前側支持フレーム３６及び前記後側支持フレーム３７について詳述すると、走行機体２の左右側方にある前記回動支持装置３８，３８の前記回動支軸４４，４４，４５，４５には回動筒３５，３５，３５，３５の基端部を回動自在に支持されている。
一方、前記シート支持部３１ａ，３２ａの左右部からは差込み部３１ｂ，３１ｂ，３２ｂ，３２ｂが夫々直交方向に延出されており、該左右の差込み部３１ｂ，３１ｂ，３２ｂ，３２ｂを前記左右の前記回動筒３５，３５，３５，３５の遊端側に差込むことにより、前記前側支持フレーム３６、及び後側支持フレーム３７は前述のようなシート支持部３１ａ，３２ａ、及び左右の側柱部からなるアーチ形状を形成する。
【００１９】
尚、左右の側柱部において前記回動筒３５，３５，３５，３５に対する前記差込み部３１ｂ，３１ｂ，３２ｂ，３２ｂの差込み長さを調節することで、前側支持フレーム３６と後側支持フレーム３７の長さを調節するフレーム長さ調節部３３としており、作業姿勢時には作業者の体格に合わせて日除け装置２の高さを調節することができ、また、収納姿勢時には走行機体２の前端に沿うようにフレームの長さを調節できる。
【００２０】
前記日除けシート３０は、柔軟性のあるシートを使う事で、前記作業姿勢から前記収納姿勢に姿勢変更する際、日除けシート３０をシート支持部３１ａ，３２ａに直接巻付けロープ６１などで位置固定することや日除けシート３０だけで巻き、該ロープ６１などで位置固定することができ、日除けシート３０の大きさを小さくすることができるので収納姿勢における収納スペースがコンパクトになる。
【００２１】
前記回動支持装置３８について詳述すると、左右の回動支持装置３８，３８は、図１、図３、及び図６に示すように、走行機体２のフロアステップ面１９の下方にある前記左右のメインフレーム２８，２８より、走行機体２の左右外方に向けて回動支持装置３８，３８を支持する支持部３９，３９を取り出し、支持部３９，３９を走行機体２の左右両側部にある乗降ステップ１７，１７の中央より後方を通し、走行機体２の外方で支持部３９と回動支持装置３８を連結した。
尚、前記支持部３９，３９は、前記乗降ステップ１７，１７の前側又は、後側を通しても良い。
【００２２】
また、図６に示すように、前記回動支持装置３８は、支持部３９と回動支持プレート４
０，４１と中央プレート４２，４２ａと二ヶ所の回動支軸４４，４５とＲピン４６，４７，４９，５１と固定ピン４８と支持ピン５０と接当部材４３から構成されている。
【００２３】
そして、前記回動支持装置３８の回動支軸４４と回動支軸４５の位置関係は、図２及び図６に示すように、前記前側支持フレーム３６の回動支軸４４の位置を前記後側支持フレーム３７の回動支軸４５の位置より下方にすることで、前側支持フレーム３６と後側支持フレーム３７の回動による干渉を避け、前側支持フレーム３６と後側支持フレーム３７を前記回動支持装置３８の回動支軸４４，４５を中心に前方回動させることで、走行機体２の前部外周でフロアステップ面１９よりも下方に重なるように収納できるようにした。
【００２４】
前記日除け装置２９の姿勢固定について詳述すると、図６に示すように、前記作業姿勢又は前記折畳み姿勢時の前記後側支持フレーム３７は、前記回動支持装置３８，３８の回動支軸４５，４５上方前方にある前記固定ピン４８，４８によって前方回動を制限し、回動支軸４５，４５上方後方にある前記接当部材４３，４３によって、後方回動を制限することで、作業姿勢や折畳み姿勢時の前記後方支持フレーム３７の前低後高の後傾斜姿勢を保持することができる。
【００２５】
また、前記前側支持フレーム３６を前記作業姿勢から前記折畳み姿勢に姿勢変更するとき、前側支持フレーム３６を前記回動支軸４４，４４中心に後方回動させる。そして、前側支持フレーム３６は、前記回動支軸４４，４４後方上方にある前記支持ピン５０，５０によって、前記後側支持フレーム３７に沿うように姿勢を保持することができる。
【００２６】
尚、図１及び図７に示すように、前記作業姿勢から前記折畳み姿勢に姿勢変更する際、作業者が運転座席１６に座りながら前記前側支持フレーム３６を簡単且つ安全に後方回動できるように走行機体２左右両側の前記回動支持装置３８，３８の回動支軸４４，４４から上方に延設された前側支持フレーム３６の前記フレーム長さ調節部３３，３３より下方に取っ手３４，３４を設けている。
【００２７】
また、図５に示すように、前記収納姿勢に姿勢変更する際、前記前側支持フレーム３６に設けた前記取っ手３４，３４が前記後側支持フレーム３７の収納の妨げにならないように、前側支持フレーム３６に対して取っ手３４，３４が左右横向きに約１８０度回動自在になるように構成した。
【００２８】
そして、前記収納姿勢から前記作業姿勢に姿勢変更する際には、前記前側支持フレーム３６上部と前記後側支持フレーム３７上部を前記日除けシート３０で連結したことによって、前記回動支軸４５，４５中心に後側支持フレーム３７を支持位置まで後方回動することによって、前側支持フレーム３６が日除けシート３０を介して上方に引っ張られ、前側支持フレーム３６が前記回動支軸４４，４４中心に後方回動する。
【００２９】
また、後側支持フレーム３７を前述のように固定すれば、前方に倒状回動しようとする前側支持フレーム３６が前記日除けシート３０によって後方側に引っ張られて前高後低の傾斜姿勢を保持され、日除け装置２９は前記作業姿勢を保持する。
【００３０】
そして、図２又は図５で示すように、前記前側支持フレーム３６と前記後側支持フレーム３７を前記折畳み姿勢から前記収納姿勢に姿勢変更するとき、前記左右の回動支持装置３８，３８の固定ピン４８，４８及び支持ピン５０，５０を外し、後側支持フレーム３７を回動可能にして、前側支持フレーム３６と後側支持フレーム３７を前記回動支軸４４，４４，４５，４５中心に同時に前方回動させて、回動支軸４４，４４，４５，４５と走行機体２前部に設けた左右の収納固定部５２，５２，５２，５２によって、日除け装置２９の姿勢を走行機体２の前側外周に沿って略水平に支持して、側面視がフロアステップ面１
９よりも下方に姿勢保持する。
【００３１】
前記収納固定部５２について詳述すると、図２、図５、及び図８に示すように、走行機体２左右側方に延出する前記予備苗載せ台７の前記予備苗載せ台支持フレーム６下部を兼用すべく、フロアステップ面１９よりも下方に収納固定部材５３，５４を挟み、収納固定部材５３，５４をボルト５５，５６とナット５７，５８によって固定しており、前記前側支持フレーム３６と前記後側支持フレーム３７を前後で支持する収納固定部５２，５２，５２，５２と前記回動支軸４４，４４，４５，４５が、共にフロアステップ面１９よりも下方に位置するので、日除け装置２９を側面視で、フロアステップ面１９よりも下方に位置し、平面視で走行機体２前側外周に沿う安定した前記収納姿勢が保持できる。
【００３２】
そして、日除け装置２９を前記折畳み姿勢から前記収納姿勢に姿勢変更したあと、前側支持フレーム３６を弾性部材からなる収納固定部５２，５２の前側支持フレーム固定位置５９，５９に弾性支持させて、前記後側支持フレーム３７を弾性部材からなる収納固定部５２，５２の後側支持フレーム固定位置６０，６０に弾性支持させることによって、前側支持フレーム３６と後側支持フレーム３７が走行機体２側面又は前記予備苗載せ台支持フレーム６，６に接触して、金属同士又は金属と樹脂素材による振動音の発生を防止することができる。
【００３３】
前記日除け装置２９の前記シート支持部３１，３２の本実施形態のアーチ形状は、コの字形状だが走行機体２の形状等によって、半円形状にしても良い。
【００３４】
前記日除け装置２９において、日除け装置２９を前記作業姿勢や前記折畳み姿勢や前記収納姿勢に姿勢変更する作業を手動操作から自動操作で行うため、アクチュエータを操作レバー又は操作ボタンによって自動で日除け装置２９の姿勢を変更可能にしても良い。
【図面の簡単な説明】
【００３５】
【図１】日除け装置の作業姿勢と折畳み姿勢を示す乗用型移植機の全体側面図である。
【図２】日除け装置の収納姿勢を示す乗用型移植機の全体側面図である。
【図３】日除け装置の作業姿勢における支持フレームの姿勢を示す乗用型移植機の全体平面図である。
【図４】日除け装置の折畳み姿勢における支持フレームの姿勢を示す乗用型移植機の全体平面図である。
【図５】日除け装置の収納姿勢における支持フレームの姿勢を示す乗用型移植機の全体平面図である。
【図６】回動支持装置の側面図（ａ）及び背面図（ｂ）である。
【図７】高さ調節部を示す側面図（ａ）と前側支持フレームの取っ手を示す側面図（ｂ）である。
【図８】支持フレームの収納固定部の側面図（ａ）及び背面図（ｂ）である。
【符号の説明】
【００３６】
１    乗用型移植機
２    走行機体
３    植付作業機
６    予備苗載せ台支持フレーム
１９  フロアステップ面
２４  移植装置
２５  植付部
２９  日除け装置
３０  日除け部材（日除けシート）
３１，３２  コの字杆（日除け部材支持部）
３３  フレーム長さ調節部
３４  取っ手
３５  回動筒
３６  前側支持フレーム（支持フレーム）
３７  後側支持フレーム（支持フレーム）
３８  回動支持装置
４４，４５  回動支軸  
５２  収納固定部
【図１】
2010094050.tif 000003
【図２】
2010094050.tif 000004
【図３】
2010094050.tif 000005
【図４】
2010094050.tif 000006
【図５】
2010094050.tif 000007
【図６】
2010094050.tif 000008
【図７】
2010094050.tif 000009
【図８】
2010094050.tif 000010